(57)【特許請求の範囲】
【請求項１】
ベース基板と、
このベース基板に取付け固定され、センサー部を有し、このセンサー部で受光した映像を映像信号に変換する撮像素子と、
この撮像素子のセンサー部に被写体の映像を結像する撮像レンズと、
この撮像レンズを保持するとともに、前記ベース基板に摺動可能な状態で直接取り付けられた摺動部と、
を具備したことを特徴とするビデオカメラ装置。
【請求項２】
ベース基板と、
このベース基板に取付け固定され、センサー部を有し、このセンサー部で受光した映像を映像信号に変換する撮像素子と、
この撮像素子のセンサー部に被写体の映像を結像する撮像レンズと、
この撮像レンズのレンズシフト方向に軸を向けて前記ベース基板に回転可能な状態で取り付けられた調節ねじと、
この調節ねじが螺入され、前記撮像レンズを保持するとともに、該撮像レンズのレンズシフト方向へ摺動可能な状態で前記ベース基板に直接取り付けられ、前記調節ねじを回転させることによりレンズシフト方向へ移動する摺動部と、
を具備したことを特徴とするビデオカメラ装置。
【請求項３】
ベース基板と、
このベース基板に取付け固定され、センサー部を有し、このセンサー部で受光した映像を映像信号に変換する撮像素子と、
この撮像素子のセンサー部に被写体の映像を結像する撮像レンズと、
この撮像レンズを保持する保持部と、
この保持部を撮像レンズの光軸方向に移動可能に取り付けるとともに、前記ベース基板に摺動可能な状態で直接取り付けられた摺動部と、
を具備したことを特徴とするビデオカメラ装置。
【請求項４】
前記撮像レンズが結像する映像のイメージサークルの直径を前記撮像素子のセンサー部の対角線より長くしたことを特徴とする請求項１乃至３のいずれか一記載のビデオカメラ装置。
【請求項５】
筐体と、
この筐体に収納され、スリット孔が形成されたベース基板と、
このベース基板の一方の面に取付け固定され、センサー部を有し、このセンサー部で受光した映像を映像信号に変換する撮像素子と、
この撮像素子のセンサー部に被写体の映像を結像する撮像レンズと、
この撮像レンズを保持するとともに、前記ベース基板の一面に配置されたレンズマウントと、
前記ベース基板の他面に配置され、前記ベース基板のスリット孔を介して前記レンズマウントと接続固定することにより、前記レンズマウントとともに前記ベース基板に摺動可能な状態で直接取り付けられるレンズマウント補助部材と、
前記筐体とレンズマウントまたはレンズマウント補助部材とに設けれ、前記筐体に対してレンズマウント及びレンズマウント補助部材がスライドする場合に力学的抵抗を発生させる力学的抵抗手段と、
を具備したことを特徴とするビデオカメラ装置。
【請求項６】
第１のスリット孔が形成された筐体と、
この筐体に収納され、第２のスリット孔が形成されたベース基板と、
このベース基板の一方の面に取付け固定され、センサー部を有し、このセンサー部で受光した映像を映像信号に変換する撮像素子と、
この撮像素子のセンサー部に被写体の映像を結像する撮像レンズと、
この撮像レンズを保持するとともに、前記ベース基板の一面に配置されたレンズマウントと、
前記ベース基板の他面に配置され、前記ベース基板の第２のスリット孔を介して前記レンズマウントと接続固定することにより、前記レンズマウントとともに前記ベース基板に摺動可能な状態で直接取り付けられるとともに、ねじ孔が形成されたレンズマウント補助部材と、
前記筐体に形成された第１のスリット孔に挿入され、前記レンズマウント補助部材に形成されためねじ部に螺入され、前記レンズマウント補助部材の固定及び固定解除を行う位置固定用ねじと、
を具備したことを特徴とするビデオカメラ装置。
【請求項７】
ねじ孔が形成された筐体と、
この筐体に収納され、スリット孔が形成されたベース基板と、
このベース基板の一方の面に取付け固定され、センサー部を有し、このセンサー部で受光した映像を映像信号に変換する撮像素子と、
この撮像素子のセンサー部に被写体の映像を結像する撮像レンズと、
この撮像レンズを保持するとともに、前記ベース基板の一面に配置されたレンズマウントと、
前記ベース基板の他面に配置され、前記ベース基板のスリット孔を介して前記レンズマウントと接続固定することにより、前記レンズマウントとともに前記ベース基板に摺動可能な状態で直接取り付けられるレンズマウント補助部材と、
前記筐体に形成されたねじ孔に螺入され、前記レンズマウント補助部材に対して直接また間接的に加える力を増大及び低下させることにより、レンズマウント補助部材の固定及び固定解除を行う位置固定用ねじと、
を具備したことを特徴とするビデオカメラ装置。
【請求項８】
筐体と、
この筐体に収納され、スリット孔が形成されたベース基板と、
このベース基板の一方の面に取付け固定され、センサー部を有し、このセンサー部で受光した映像を映像信号に変換する撮像素子と、
この撮像素子のセンサー部に被写体の映像を結像する撮像レンズと、
この撮像レンズを保持するとともに、前記ベース基板の一面に配置されたレンズマウントと、
前記ベース基板の他面に配置され、前記ベース基板のスリット孔を介して前記レンズマウントと接続固定することにより、前記レンズマウントとともに前記ベース基板に摺動可能な状態で直接取り付けられるレンズマウント補助部材と、
前記レンズマウント補助部材に設けれ、一方の側に回転移動させることにより前記筐体に対する力学的抵抗を増大させ、他方の側に回転移動させることにより前記筐体に対する力学的抵抗を低下させるレバー部材と、
を具備したことを特徴とするビデオカメラ装置。
【請求項９】
請求項１乃至８のいずれか一記載のビデオカメラ装置が設けられた子機と、
この子機に配線で接続された親機と、
前記ビデオカメラの映像信号を前記配線を介して前記親機に送信する映像信号送信手段と、
前記親機と子機との間で配線を介して音声の送受信を行う音声送受信手段と、
を具備したことを特徴とするテレビインターホン装置。
【請求項１０】
請求項１乃至８のいずれか一記載のビデオカメラ装置が設けられた監視カメラ本体と、
前記ビデオカメラの映像信号を配線を介して送信する映像信号送信手段と、
を具備したことを特徴とする監視カメラ装置。
【発明の詳細な説明】
【０００１】
【発明の属する技術分野】
本発明は撮像素子を用いたビデオカメラ装置、テレビインターホン装置および監視カメラ装置に関する。
【０００２】
【従来の技術】
従来、一般家庭用のテレビインターホン装置に用いれられるビデオカメラ装置としては、構造の簡素化に対応して撮像レンズと撮像素子をテレビインターホン装置の子機に固定にして一定の範囲のみ撮像するものが開発されている。しかしながら、このようなビデオカメラ装置では、取付け位置に制約が発生したり、撮像レンズを広角化して必要以上に広い範囲を撮像するため人物の顔が小さく映る等の問題が発生していた。
【０００３】
このような問題に対応して撮像素子に対して撮像レンズを固定した撮像ユニットを上下傾斜、左右傾斜可能なマウントに取付け、撮像ユニットの撮像方向を被写体が来る方向に向けるテレビインターホン装置が開発されている。このようなビテオカメラ装置では、撮像ユニットを取り付けるベース基板と、子機本体のベース基板が別になるため、両ベース基板の間にフレキジブル配線板等の渡り配線が必要になり、各種回路の実装上の自由度が無くなるとともに、部品数が多く、装置の小型化を困難にしていた。
【０００４】
このことに対応して、撮像レンズの前面に斜行プリズムを配置し、斜行プリズムの回転でプリズム効果による光路変化を利用して撮像範囲を可変するものも開発されている。しかしながら、このようなビテオカメラ装置では、斜行プリズムが高価なので、装置の低コスト化を困難にしていた。
【０００５】
【発明が解決しようとする課題】
前記した従来のビデオカメラ装置では、撮像ユニットの撮像方向を可変にするため、撮像レンズの前面に斜行プリズムを配置し、斜行プリズムの回転でプリズム効果による光路変化を利用して撮像範囲を可変するものも開発されていが、斜行プリズムが高価なので、装置の低コストを困難にしていた。
【０００６】
そこで本発明は、簡単な構造と低価格の部品でベース基板に対する撮像方向を可変にすることができるビデオカメラ装置、テレビインターホン装置および監視カメラ装置の提供を目的とする。
【０００７】
【課題を解決するための手段】
請求項１記載のビデオカメラ装置は、ベース基板と、このベース基板に取付け固定され、センサー部を有し、このセンサー部で受光した映像を映像信号に変換する撮像素子と、この撮像素子のセンサー部に被写体の映像を結像する撮像レンズと、この撮像レンズを保持するとともに、前記ベース基板に摺動可能な状態で直接取り付けられた摺動部と、を具備したことを特徴とする。
【０００８】
請求項２記載のビデオカメラ装置は、ベース基板と、このベース基板に取付け固定され、センサー部を有し、このセンサー部で受光した映像を映像信号に変換する撮像素子と、この撮像素子のセンサー部に被写体の映像を結像する撮像レンズと、この撮像レンズのレンズシフト方向に軸を向けて前記ベース基板に回転可能な状態で取り付けられた調節ねじと、この調節ねじが螺入され、前記撮像レンズを保持するとともに、該撮像レンズのレンズシフト方向へ摺動可能な状態で前記ベース基板に直接取り付けられ、前記調節ねじを回転させることによりレンズシフト方向へ移動する摺動部と、を具備したことを特徴とする。
【０００９】
請求項３記載のビデオカメラ装置は、ベース基板と、このベース基板に取付け固定され、センサー部を有し、このセンサー部で受光した映像を映像信号に変換する撮像素子と、この撮像素子のセンサー部に被写体の映像を結像する撮像レンズと、この撮像レンズを保持する保持部と、この保持部を撮像レンズの光軸方向に移動可能に取り付けるとともに、前記ベース基板に摺動可能な状態で直接取り付けられた摺動部と、を具備したことを特徴とする。
【００１０】
請求項４記載のビデオカメラ装置は、請求項１乃至３のいずれか一記載のビデオカメラ装置であって、前記撮像レンズが結像する映像のイメージサークルの直径を前記撮像素子のセンサー部の対角線より長くしたことを特徴とする。
【００１１】
請求項５記載のビデオカメラ装置は、筐体と、この筐体に収納され、スリット孔が形成されたベース基板と、このベース基板の一方の面に取付け固定され、センサー部を有し、このセンサー部で受光した映像を映像信号に変換する撮像素子と、この撮像素子のセンサー部に被写体の映像を結像する撮像レンズと、この撮像レンズを保持するとともに、前記ベース基板の一面に配置されたレンズマウントと、前記ベース基板の他面に配置され、前記ベース基板のスリット孔を介して前記レンズマウントと接続固定することにより、前記レンズマウントとともに前記ベース基板に摺動可能な状態で直接取り付けられるレンズマウント補助部材と、前記筐体とレンズマウントまたはレンズマウント補助部材とに設けれ、前記筐体に対してレンズマウント及びレンズマウント補助部材がスライドする場合に力学的抵抗を発生させる力学的抵抗手段と、を具備したことを特徴とする。
【００１２】
請求項６記載のビデオカメラ装置は、第１のスリット孔が形成された筐体と、この筐体に収納され、第２のスリット孔が形成されたベース基板と、このベース基板の一方の面に取付け固定され、センサー部を有し、このセンサー部で受光した映像を映像信号に変換する撮像素子と、この撮像素子のセンサー部に被写体の映像を結像する撮像レンズと、この撮像レンズを保持するとともに、前記ベース基板の一面に配置されたレンズマウントと、前記ベース基板の他面に配置され、前記ベース基板の第２のスリット孔を介して前記レンズマウントと接続固定することにより、前記レンズマウントとともに前記ベース基板に摺動可能な状態で直接取り付けられるとともに、ねじ孔が形成されたレンズマウント補助部材と、前記筐体に形成された第１のスリット孔に挿入され、前記レンズマウント補助部材に形成されためねじ部に螺入され、前記レンズマウント補助部材の固定及び固定解除を行う位置固定用ねじと、を具備したことを特徴とする。
【００１３】
請求項７記載のビデオカメラ装置は、ねじ孔が形成された筐体と、この筐体に収納され、スリット孔が形成されたベース基板と、このベース基板の一方の面に取付け固定され、センサー部を有し、このセンサー部で受光した映像を映像信号に変換する撮像素子と、この撮像素子のセンサー部に被写体の映像を結像する撮像レンズと、この撮像レンズを保持するとともに、前記ベース基板の一面に配置されたレンズマウントと、前記ベース基板の他面に配置され、前記ベース基板のスリット孔を介して前記レンズマウントと接続固定することにより、前記レンズマウントとともに前記ベース基板に摺動可能な状態で直接取り付けられるレンズマウント補助部材と、前記筐体に形成されたねじ孔に螺入され、前記レンズマウント補助部材に対して直接また間接的に加える力を増大及び低下させることにより、レンズマウント補助部材の固定及び固定解除を行う位置固定用ねじと、を具備したことを特徴とする。
【００１４】
請求項８記載のビデオカメラ装置は、筐体と、この筐体に収納され、スリット孔が形成されたベース基板と、このベース基板の一方の面に取付け固定され、センサー部を有し、このセンサー部で受光した映像を映像信号に変換する撮像素子と、この撮像素子のセンサー部に被写体の映像を結像する撮像レンズと、この撮像レンズを保持するとともに、前記ベース基板の一面に配置されたレンズマウントと、前記ベース基板の他面に配置され、前記ベース基板のスリット孔を介して前記レンズマウントと接続固定することにより、前記レンズマウントとともに前記ベース基板に摺動可能な状態で直接取り付けられるレンズマウント補助部材と、前記レンズマウント補助部材に設けれ、一方の側に回転移動させることにより前記筐体に対する力学的抵抗を増大させ、他方の側に回転移動させることにより前記筐体に対する力学的抵抗を低下させるレバー部材と、を具備したことを特徴とする。
【００１５】
請求項９記載のテレビインターホン装置は、請求項１乃至８のいずれか一記載のビデオカメラ装置が設けられた子機と、この子機に配線で接続された親機と、前記ビデオカメラの映像信号を前記配線を介して前記親機に送信する映像信号送信手段と、前記親機と子機との間で配線を介して音声の送受信を行う音声送受信手段と、を具備したことを特徴とする。
【００１６】
請求項１０記載の監視カメラ装置は、請求項１乃至８のいずれか一記載のビデオカメラ装置が設けられた監視カメラ本体と、前記ビデオカメラの映像信号を配線を介して送信する映像信号送信手段と、を具備したことを特徴とする。
【００１７】
請求項１乃至４，９，１０記載の構成によれば、撮像レンズを保持するとともに、ベース基板に摺動可能な状態で直接取り付けられた摺動部をレンズシフト方向に移動させることにより、ベース基板に対する撮像方向を変化させるので、簡単な構造と低価格の部品でベース基板に対する撮像方向を可変にすることができる。
【００１８】
請求項２記載の構成によれば、調節ねじを回転させることにより摺動部をレンズシフト方向へ移動できる。
【００１９】
請求項３記載の構成によれば、保持部を撮像レンズの光軸方向に移動させることにより、撮像レンズと撮像素子のセンサー部との間のフォーカス調整を行える。
【００２０】
請求項５乃至１０記載の構成によれば、撮像レンズを保持するとともに、ベース基板に摺動可能な状態で直接取り付けられたレンズマウントとレンズマウント補助部材をレンズシフト方向に移動させることにより、ベース基板に対する撮像方向を変化させるので、簡単な構造と低価格の部品でベース基板に対する撮像方向を可変にすることができる。
【００２１】
請求項５記載の構成によれば、力学的抵抗手段によりレンズマウント及びレンズマウント補助部材の位置を安定させることができ、撮像方向を安定にすることができる。
【００２２】
請求項６及び７記載の構成によれば、位置固定用ねじにより前記レンズマウント補助部材の固定及び固定解除を行うことができ、撮像方向を安定にすることができる。
【００２３】
請求項８記載の構成によれば、レバー部材を一方の側に回転移動させることによりレンズマウント及びレンズマウント補助部材に加わる力学的抵抗を増大させ撮像方向を安定にすることができ、撮像方向を安定にすることができ、レバー部材を他方の側に回転移動させることによりレンズマウント及びレンズマウント補助部材に加わる力学的抵抗を低下させ、撮像方向の調整を容易にすることができる。
【００２４】
請求項９記載の構成によれば、請求項１乃至８のいずれか一記載のビデオカメラ装置をテレビインターホン装置に適用できる。
【００２５】
請求項１０記載の構成によれば、請求項１乃至８のいずれか一記載のビデオカメラ装置を監視カメラ装置に適用できる。
【００２６】
【発明の実施の形態】
以下、本発明の実施の形態を図面を参照して説明する。
【００２７】
図１は本発明に係るビデオカメラ装置の第１の発明の実施の形態を示す分解斜視図である。
【００２８】
図１において、符号１１はベース基板であり、このベース基板１１の一面の所定位置には撮像素子１２が取付けられている。撮像素子１２は、センサー部１３を有し、このセンサー部１３で受光した映像を映像信号に変換する。
【００２９】
鏡胴を形成する摺動部１４は、この撮像レンズ１５を保持するとともに、該撮像レンズ１５のレンズシフト方向へ摺動可能な状態で前記ベース基板１１に直接取り付けられる。
【００３０】
本発明の実施の形態では、ベース基板１１にスリット孔１６を形成し、前記摺動部１４のベース基板１１側の面にめねじ部１７を形成し、取付けねじ１８を前記ベース基板１１のスリット孔１６に挿入し前記摺動部１４のめねじ部１７に螺入するすることにより、前記摺動部１４を摺動可能な状態で前記ベース基板１１に直接取り付けるようにしている。
【００３１】
調節ねじ１９は、金属板２０により撮像レンズ１５のレンズシフト方向に軸を向けて前記ベース基板１１に回転可能な状態で取り付けられている。
【００３２】
摺動部１４の調節ねじ１９側の面には、この調節ねじ１９がら螺入されるめねじ部のねじ孔２１が形成されている。
【００３３】
図２は図１のビデオカメラ装置を組み立てた状態の斜視図である。
【００３４】
図２において、摺動部１４は、この撮像レンズ１５を保持するとともに、該撮像レンズ１５のレンズシフト方向へ摺動可能な状態で前記ベース基板１１に直接取り付けられる。
【００３５】
摺動部１４のねじ孔２１には、調節ねじ１９が螺入されている。
【００３６】
図３は図２のビデオカメラ装置の要部を示す断面図である。
【００３７】
金属板２０は、金属の板をＬ字状に形成したものであり、一端側に調節ねじ１９を取付け、他端側をベース基板１１の縁部にねじ２２によりねじ止め固定している。調節ねじ１９は、軸部に係止部材２３が取付けられており、金属板２０に対して回転は行うが、金属板２０から所定位置以上レンズシフト方向に突出しないようになっている。
【００３８】
摺動部１４は、前記調節ねじ１９のねじ頭２４を回転させることによりレンズシフト方向へ移動する。
【００３９】
この撮像レンズ１５は、凸レンズ３１，凹レンズ３２，凸レンズ３３のトリプレットタイプで構成されている。凸レンズ３１，凹レンズ３２，凸レンズ３３は保持部３４によって保持されている。保持部３４のベース基板１１側の外周にはおねじ部３５が形成されている。一方、摺動部１４は、保持部３４が内側に挿入される筒部３６が形成されている。筒部３６のベース基板１１側の内周にはめねじ部３７が形成されている。保持部３４のおねじ部３５は筒部３６のめねじ部３７に螺入している。このような構造により、この保持部３４は撮像レンズ１５の光軸方向に移動可能に取り付けている。保持部３４は、手動により回転させることにより、撮像レンズ１５の光軸方向に移動でき、このような操作により、撮像レンズ１５と撮像素子１２のセンサー部１３との間のフォーカス調整を行える。
【００４０】
また、本発明の実施の形態では撮像レンズ１５が結像する映像のイメージサークルの直径を前記撮像素子１２のセンサー部の対角線より長くしている。
【００４１】
摺動部１４は、電気絶縁物で形成することにより、摺動可能な状態で前記ベース基板１１に直接取り付けられたにも関わらず、ベース基板１１の各種配線や回路のショートを防止できる。
【００４２】
このような発明の実施の形態の動作を以下に説明する。
【００４３】
ベース基板に対する撮像方向を変える場合には、調節ねじ１９を回転させることにより摺動部１４をレンズシフト方向へ移動する。
【００４４】
図４は図３の摺動部１４をレンズシフト方向へ移動させた状態を示す断面図である。
【００４５】
図４において、点４１は被写体の位置を示しており、この点４１は、撮像レンズ１５の光軸や撮像素子１２のセンター部１３よりも、高い位置にある。しかしながら、摺動部１４をレンズシフト方向へ移動したことにより、撮像レンズ１５がシフトしており、点４１からの光は、撮像レンズ１５を介して撮像素子１２のセンター部１３の中央に結像する。
【００４６】
このようん本発明の実施の形態によれば、撮像レンズ１５を保持するとともに、前記ベース基板１１に摺動可能な状態で直接取り付けられた摺動部１４をレンズシフト方向に移動させることにより、ベース基板１１に対する撮像方向を変化させることができるので、簡単な構造と低価格の部品でベース基板に対する撮像方向を可変にすることができ、これにより、取付け位置に大きな制約を発生させたり、撮像レンズを広角化して必要以上に広い範囲を撮像することなく装置の製造コストを低減できる。
【００４７】
図５は図１のビデオカメラ装置を適用したテレビインターホン装置を示す正面図である。
【００４８】
図５において、子機５０には、図１のビデオカメラ装置が設けられている。
【００４９】
親機６０は子機５０と配線５１で接続されている。
【００５０】
子機５０には、前記ビデオカメラの映像信号を配線５１を介して親機６０に送信する映像信号送信手段が設けられている。
【００５１】
親機６０と子機５０とには、該親機６０と子機５０との間で配線５１を介して音声の送受信を行う音声送受信手段が設けられている。
【００５２】
さらに詳細に説明すると、親機６０には受話器６１が設けられており、この受話器６１に音声送受信手段のマイク６２とスピーカ６３とが設けられている。
【００５３】
子機５０には、音声送受信手段のマイク５２とスピーカ５３が設けられている。
【００５４】
子機５０の内部の正面左上の位置には、図１に示した撮影レンズ１５が設けられてている。撮影レンズ１５の正面側および正面側の周りは防塵用の透明板５４が設けられいている。親機６０には、前記ビデオカメラ装置からの映像信号を映像表示する映像表示ユニット６４が設けられている。
【００５５】
このような構成によれば、図１のビデオカメラ装置をテレビインターホン装置に適用できる。
【００５６】
図６は図１のビデオカメラ装置を適用した監視カメラ装置を示す正面図である。
【００５７】
図６において、監視カメラ本体７０には、図１のビデオカメラ装置が設けられているとともに、前記ビデオカメラ装置の映像信号をモニタ装置８０側に配線７１を介して送信する映像信号送信手段が設けられている。
【００５８】
さらに詳細に説明すると、監視カメラ本体７０は配線７１を介してモニタ装置８０に接続されている。監視カメラ本体７０の内部の正面上側の位置には、図１に示した撮影レンズ１５が設けられてている。撮影レンズ１５の正面側および正面側の周りは防塵用の透明板７２が設けられいている。監視カメラ本体７０の正面下側にはマイク７３が設けられている。
【００５９】
モニタ装置８には、監視カメラ本体７０からの映像信号を表示する映像信号表示手段８１と、監視カメラ本体７０からの映像信号から前記音声信号を分離して音声出力を行う音声出力手段８２とが設けられている。
【００６０】
このような構成によれば、図１のビデオカメラ装置を監視カメラ装置に適用できる。
【００６１】
図７は本発明に係るビデオカメラ装置の第２の発明の実施の形態をテレビインターホン装置の子機に適用した場合を示す分解斜視図である。
【００６２】
図７において、子機１００は、表ケース１０１と裏ケース１０２から成る筐体にベース基板１１１を収納した構造になっている。このベース基板１１１の一面の所定位置には撮像素子１１２が取付けられている。撮像素子１１２は、センサー部１１３を有し、このセンサー部１１３で受光した映像を映像信号に変換する。ベース基板１１１の撮像素子１１２の図中前後（子機が壁等に取り付けられた状態で上下）の位置には、スリット孔１１４が形成されている。
【００６３】
鏡胴を形成するレンズマウント１１５は、この撮像レンズ１１６を保持するとともに、前記ベース基板１１１の一面に配置される。レンズマウント補助部材１１７は、前記ベース基板１１１の他面に配置され、前記ベース基板１１１のスリット孔１１４を介して前記レンズマウント１１５とねじ１１８により接続固定することにより、前記レンズマウント１１５とともに前記ベース基板１１１に摺動可能な状態で直接取り付けられる。前記裏ケース１０２とレンズマウント補助部材１１７には、後述の前記筐体に対してレンズマウント補助部材１１７がスライドする場合に力学的抵抗を発生させる力学的抵抗手段１２０が設けられている。レンズマウント補助部材１１７には位置調整用つまみ１２１が設けられている。裏ケース１０２の位置調整用つまみ１２１に対応する位置には、スリット孔１２２が形成されている。このようなベース基板１１１はねじ１１９により裏ケース１０２に取付け固定されせる。
【００６４】
子機１００の上ケースの内側には、音声送受信手段のマイク１３２とスピーカ１３３が取り付けられる。マイク１３２には、マイクゴム１３４が取り付けられ、正面側に防水シート１３５が取り付けられる。スピーカ１３３は、正面側に防水シート１３６が取り付けられる。
【００６５】
裏ケース１０２は、表ケース１０１にねじ１３７によりねじ止め固定される。これにより、子機１００の内部の正面左上の位置には、撮影レンズ１１６が設けられる。撮影レンズ１１６の正面側および正面側の周りは防塵用の透明板１０４が設けられる。表ケース１０１のマイク１３２、スピーカ１３３及び撮影レンズ１１６に対応する位置には、貫通孔１０５，スリット孔１０６，１０７が形成されている。表ケース１０１の右下の位置には、呼び出し釦１０８が設けられる。
【００６６】
このような子機１００は、ドアの壁にねじ止め等によって取り付けられたベース１４０に嵌合によって取付けられる。
【００６７】
図８は図７の要部を示す断面図である。
【００６８】
図８において、力学的抵抗手段１２０としては、裏ケース１０２にレンズシフト方向１４１に沿って複数連続する凹部１４２をスリット孔１２２の上下に設け、レンズマウント補助部材１１７の背面の上側及び下側に凸部１４３を設け、凹部１４２と凸部１４３の接触により力学的抵抗を発生させている。
【００６９】
このような発明の実施の形態によれば、撮像レンズ１１６を保持するとともに、ベース基板１１１に摺動可能な状態で直接取り付けられたレンズマウント１１５とレンズマウント補助部材１１７を、位置調整用つまみ１２１の操作によりレンズシフト方向に移動させることにより、ベース基板１１１に対する撮像方向を変化させるので、簡単な構造と低価格の部品でベース基板に対する撮像方向を可変にすることができるので、図１の発明の実施の形態と同様の効果が得られるとともに、力学的抵抗手段１２０によりレンズマウント１１５及びレンズマウント補助部材１１７の位置を安定させることができ、撮像方向を安定にすることができる。
【００７０】
図９乃至図１１は本発明に係るビデオカメラ装置の第３の発明の実施の形態をテレビインターホン装置の子機に適用した場合の要部を示し、図９は側方から見た断面図、図１０は上方から見た断面図、図１１は正面から見た断面図である。
【００７１】
図９において、本発明の実施の形態は、図７の力学的抵抗手段１２０の代わりに、力学的抵抗手段１５０として、筐体の上ケース１５１に凹部１５２を設け、レンズマウント１５３に凸部１５４を設けたものである。
【００７２】
図１０及び図１１において、筐体の上ケース１５１の内側には、レンズマウント１５３は左右から挟み込む板状部１５５，１５６が設けられ、この内側に凹部１５２か設けられている。レンズマウント１５３の左右側面には、凸部１５４が設けられている。力学的抵抗手段１５０以外の構成は図７の発明の実施の形態と同様になっている。
【００７３】
このような発明の実施の形態によれば、図７の発明の実施の形態と同様の効果が得られる。
【００７４】
尚、図７乃至図１１の発明の実施の形態では、力学的抵抗手段１２０としては、凹部と凸部との組み合わせを用いたが互いに接触する摩擦部材を用いてもよく、さらに他の手段を用いてもよい。
【００７５】
図１２及び図１３は本発明に係るビデオカメラ装置の第４の発明の実施の形態をテレビインターホン装置の子機に適用した場合の要部を示し、図１２はベース基板を示す正面図、図１３はレンズマウント補助部材を示す正面図である。
【００７６】
本発明の実施の形態は、図７の力学的抵抗手段１２０の代わりに、力学的抵抗手段として、図１２に示すベース基板１６１の撮像素子１１２の上側及び下側に設けられたスリット孔１６２の左右内側に凹部１６３を設け、図１３にレンズマウント補助部材１６４の挿入部１６５の左右に凸部１６６を設けたものである。スリット孔１６６には、挿入部１６５か収入され、凹部１６３と凸部１６６が接触するようになっている。力学的抵抗手段以外の構成は図７の発明の実施の形態と同様になっている。
【００７７】
このような発明の実施の形態によれば、図７の発明の実施の形態と同様の効果が得られる。
【００７８】
尚、図１２及び図１３に示した発明の実施の形態では、レンズマウント補助部材に力学的抵抗手段を形成したがレンズマウントに力学的抵抗手段を形成してもよい。
【００７９】
図１４は本発明に係るビデオカメラ装置の第５の発明の実施の形態をテレビインターホン装置の子機に適用した場合の要部を示す断面図である。
【００８０】
本発明の実施の形態は、図７の力学的抵抗手段１２０の代わりに、力学的抵抗手段として、レンズマウント１６６とベース基板１６７との間に摩擦抵抗の高いレンズスライドシート１６９を設けている。レンズスライドシート１６９は、レンズマウント補助部材１６８とねじ１７０によって、レンズマウント１６６に固定されている。
【００８１】
図１５は図１４のレンズスライドシート１６９を示す斜視図である。
【００８２】
レンズスライドシート１６９の中央には図１４の撮像素子１１２を露出させる開孔部１６０が設けられている。
【００８３】
このような発明の実施の形態によれば、図７の発明の実施の形態と同様の効果が得られる。
【００８４】
図１６は本発明に係るビデオカメラ装置の第６の発明の実施の形態をテレビインターホン装置の子機に適用した場合の要部の断面図である。
【００８５】
図１６において、筐体の上ケース１７１とレンズマウント１７２の内側には、レンズマウント１７１をベース基板１７４に押圧することにより、前記ベース基板１７４に対してレンズマウント１７２がスライドする場合に力学的抵抗を発生させる弾性部材１７３が設けられている。
【００８６】
この場合の弾性部材１７３は、コイルばねとなっている。
【００８７】
図１６に示した部分と力学的抵抗手段以外の構成は図７の発明の実施の形態と同様になっている。即ち、レンズマウント補助部材１７５には力学的抵抗手段を設けない。
【００８８】
このような発明の実施の形態によれば、弾性部材１７３が力学的抵抗手段の働きをするので、図７の発明の実施の形態と同様の効果が得られる。
【００８９】
図１７は本発明に係るビデオカメラ装置の第７の発明の実施の形態をテレビインターホン装置の子機に適用した場合の要部を示す断面図である。
【００９０】
図１７において、ベース基板１８１には、レンズマウント１８２をベース基板１８１に押圧することにより、前記ベース基板１８１に対してレンズマウント１８２がスライドする場合に力学的抵抗を発生させる弾性部材１８３が設けられている。弾性部材１８３は、板ばねで形成されており、一端がベース基板にはんだ１８４によるはんだ付けによりベース基板１８１に接続され、他端側がレンズマウント１８２の正面側を押圧するようになっている。
【００９１】
図１７に示した部分と力学的抵抗手段以外の構成は図７の発明の実施の形態と同様になっている。
【００９２】
このような発明の実施の形態によれば、図１６の発明の実施の形態と同様の効果が得られる。
【００９３】
図１８は本発明に係るビデオカメラ装置の第８の発明の実施の形態をテレビインターホン装置の子機に適用した場合の要部を示す断面図である。
【００９４】
図１８において、ベース基板１９１とレンズマウント補助部材１９２の間には、レンズマウント１９３をベース基板１９１に張引することにより、前記ベース基板１９１に対してレンズマウント１９３がスライドする場合に力学的抵抗を発生させる弾性部材１９４が設けられている。弾性部材１９４は、コイルねで形成されており、レンズマウント補助部材１９２の挿入部１９５に取付けられ、レンズマウント補助部材１９２をベース基板１９１から離れる方向に力を加えている。
【００９５】
図１８に示した部分と力学的抵抗手段以外の構成は図７の発明の実施の形態と同様になっている。
【００９６】
このような発明の実施の形態によれば、図１６の発明の実施の形態と同様の効果が得られる。
【００９７】
図１９は本発明に係るビデオカメラ装置の第９の発明の実施の形態をテレビインターホン装置の子機に適用した場合の分解斜視図を示しており、図７と同じ構成要素には同じ符号を付して説明を省略している。
【００９８】
図１９において、子機２００では、図７の力学的抵抗手段１２０を設ける代わりに、レンズマウント補助部材２０７には位置調整用つまみの位置にめねじ部２０１を設け、このめねじ部２０１に、裏ケース１０２のスリット孔１２２を介して滑り止めリング２０２を取付けた位置固定用ねじ２０３を螺入することにより、レンズマウント補助部材２０７の固定を行うようにしている。滑り止めリング２０２は、裏ケース１０２と位置固定用ねじ２０３のねじ頭の間に配置される。
【００９９】
位置固定用ねじ２０３は、めねじ部２０１に螺入する方向に回転させることによりレンズマウント補助部材２０７の固定を行い、めねじ部２０１に螺入する方向とは反対方向に回転させることによりレンズマウント補助部材２０７の固定解除を行う。
【０１００】
このような発明の実施の形態によれば、図１の発明の実施の形態と同様の効果があるとともに、位置固定用ねじ２０３によりレンズマウウト補助部材２０７の固定及び固定解除を行うことができ、撮像方向を安定にすることができる。
【０１０１】
図２０は本発明に係るビデオカメラ装置の第１０の発明の実施の形態をテレビインターホン装置の子機に適用した場合の断面図を示しており、図８と同じ構成要素には同じ符号を付して説明を省略している。
【０１０２】
図２０において、子機では、図７の力学的抵抗手段１２０を設ける代わりに、レンズマウント補助部材２１７のスリット１１４に挿入する挿入部２１９を、基板１１１の厚さよりも短く形成している。これにより、レンズマウント補助部材２１７を固定するねじ２１８は、位置固定用ねじとなっており、図１９の位置固定用ねじ２０３と同様に、レンズマウウト補助部材２１７の固定及び固定解除を行うことができる。レンズマウント補助部材２０７には位置調整用つまみ２２０が設けられている。裏ケース２２１は、位置調整用つまみ２２０と位置固定用ねじ２０３に対応する位置にスリット孔２２２，２２３が形成され、子機の外側から位置調整用つまみ２２０と位置固定用ねじ２１８の操作を行えるようになっている。
【０１０３】
このような発明の実施の形態によれば、図１９の発明の実施の形態と同様の効果が得られる。
【０１０４】
尚、図２０では、ねじ２１８は、レンズマウント補助部材２１７に対して間接的に加える力を増大及び低下させることにより、レンズマウント補助部材の固定及び固定解除を行うように構成したが、レンズマウント補助部材２１７に対して直接的に加える力を増大及び低下させるように構成してもよい。
【０１０５】
図２１は本発明に係るビデオカメラ装置の第１１の発明の実施の形態をテレビインターホン装置の子機に適用した場合の断面図を示しており、図８と同じ構成要素には同じ符号を付して説明を省略している。
【０１０６】
図２１において、子機では、図７の力学的抵抗手段１２０を設ける代わりに、位置固定用ねじ２３０を設けている。位置固定用ねじ２３０は、裏ケース２３１のねじ孔２３２に螺入され、そのねじ部の先端が、レンズマウント補助部材２３７を押圧するようになっている。
【０１０７】
位置固定用ねじ２３０は、ねじ孔２３２に螺入する方向に回転させることによりレンズマウント補助部材２３７の固定を行い、ねじ孔２３２に螺入する方向とは反対方向に回転させる。これにより、図１９の発明の実施の形態と同様の効果が得られる。
【０１０８】
尚、図２１では、位置固定用ねじ２３０は、レンズマウント補助部材２３７に対して直接的に加える力を増大及び低下させることにより、レンズマウント補助部材２３７の固定及び固定解除を行うように構成したが、レンズマウント補助部材２３７に対して間接的に加える力を増大及び低下させるように構成してもよい。
【０１０９】
図２２乃至図２３は本発明に係るビデオカメラ装置の第１２の発明の実施の形態をテレビインターホン装置の子機に適用した場合の要部を示しており、図２２は断面図、図２３は動作を示す説明図であり、図８と同じ構成要素には同じ符号を付して説明を省略している。
【０１１０】
図２２において、子機では、図７の力学的抵抗手段１２０を設ける代わりに、レバー部材２４８を設けている。レバー部材２４８は、前記レンズマウント補助部材２４７に設けれ、一方の側に回転移動させることにより前記裏ケース２４１に対する力学的抵抗を増大させ、他方の側に回転移動させることにより前記裏ケース２４１に対する力学的抵抗を低下させる。
【０１１１】
さらに詳細に説明すると、レンズマウント補助部材２４７の背面側には、裏ケース２４１のスリット孔２４２に挿入される突起部２４３が形成されている。突起部２４３の先端は、レバー部材２４８が回転可能な状態で設けられている。レバー部材２４８の回転軸の回りにはカム２４９が形成されている。
【０１１２】
図２３において、レバー部材２４８は、実線に示すように、一方の側に回転移動させることによりカム２４９が裏ケース２４１を強く押圧し、前記裏ケース２４１に対する力学的抵抗を増大させ、破線に示すように、他方の側に回転移動させることによりカム２４９が裏ケース２４１と接触しなくなり、前記裏ケース２４１に対する力学的抵抗を低下させる。
【０１１３】
このような発明の実施の形態によれば、図８の発明の実施の形態と同様の効果が得られるとともに、撮像方向を調整する場合に、レバー部材２４８を他方の側に回転移動させることにより、レンズマウント補助部材２４７の移動操作を容易にできる。
【０１１４】
図２４乃至図２６は本発明に係るビデオカメラ装置の第１３の発明の実施の形態をテレビインターホン装置の子機に適用した場合の要部を示しており、図２４は断面図、図２５はレンズマウント補助部材の拡大図、図２６は動作を示す説明図であり、図７及び図８と同じ構成要素には同じ符号を付して説明を省略している。
【０１１５】
図２４において、子機では、図７の力学的抵抗手段１２０を設ける代わりに、レバー部材２５８を設けている。レバー部材２５８は、前記レンズマウント補助部材２５７に設けれ、一方の側に回転移動させることにより前記レンズマウント補助部材２５７のベース基板１１１に対する力学的抵抗を増大させ、他方の側に回転移動させることにより前記レンズマウント補助部材２５７のベース基板１１１に対する力学的抵抗を低下させる。
【０１１６】
さらに詳細に説明すると、レンズマウント補助部材２５７の背面側には、裏ケース２５１のスリット孔２５２に挿入される突起部２５３が形成されている。突起部２５３の先端は、レバー部材２５８が回転可能な状態で設けられている。レバー部材２５８の回転軸の回りにはカム２５９が形成されている。
【０１１７】
図２４の場合、レバー部材２５は、他方の側に回転移動させている。
【０１１８】
図２５において、レンズマウント補助部材２５７は弾性部材により形成されるとともに、突起部２５３の左右に応力逃げ用スリット２６１を形成している。レンズマウント補助部材２５７は、応力逃げ用スリット２６１により、レバー部材２５を一方の側に回転移動させた場合に、図２４のカム２５９に対応する部分が湾曲して図２６に示すようにベース基板１１１に接触することにより力学的抵抗を増大させるようになっている。
【０１１９】
このような発明の実施の形態によれば、図２２に示した発明の実施の形態と同様の効果が得られる。
【０１２０】
図２７は本発明に係るビデオカメラ装置の第１４の発明の実施の形態をテレビインターホン装置の子機に適用した場合の要部の断面図を示していおり、図７と同じ構成要素には同じ符号を付して説明を省略している。
【０１２１】
図２７において、子機では、調節ねじ２６１が、この撮像レンズ１１６の上下のレンズシフト方向に軸を向けて前記筐体の表ケース２６２に回転可能な状態で取り付けられている。
【０１２２】
レンズマウント２６３は、調節ねじ２６１が螺入され、前記撮像レンズ１１６を保持するとともに、ベース基板２６４の一面に配置され、前記調節ねじ２６２を回転させることにより上下のレンズシフト方向へ移動する。この場合、図７の力学的抵抗手段１２０を設ていないこと以外には、図７の発明の実施の形態と同様になっている。
【０１２３】
このような発明の実施の形態によれば、調節ねじ２６１を回転させることにより撮像レンズ１１６をレンズシフト方向に移動できるので、撮像方向の調整を容易に行え、図１の発明の実施の形態と同様の効果が得られるとともに、調節ねじ２６１が筐体の外側にあるので、図１の発明の実施の形態よりも操作が容易になる。
【０１２４】
図２８は本発明に係るビデオカメラ装置の第１５の発明の実施の形態をテレビインターホン装置の子機に適用した場合の要部の断面図を示していおり、図７と同じ構成要素には同じ符号を付して説明を省略している。
【０１２５】
図２８において、子機では、調節ねじ２７１が、この撮像レンズ１１６の左右のレンズシフト方向に軸を向けて前記筐体の表ケース２７２に回転可能な状態で取り付けられている。
【０１２６】
レンズマウント２７３は、調節ねじ２７１が螺入され、前記撮像レンズ１１６を保持するとともに、ベース基板２７４の一面に配置され、前記調節ねじ２７２を回転させることにより左右のレンズシフト方向へ移動する。この場合、図７の力学的抵抗手段１２０を設ていないことと、レンズマウント２７３を左右方向に移動できるように構成したこと以外は、図７の発明の実施の形態と同様になっている。
【０１２７】
このような発明の実施の形態によれば、調節ねじ２６１を回転させることにより撮像レンズ１１６をレンズシフト方向に移動できるので、図１の発明の実施の形態と同様の効果が得られるとともに、調節ねじ２６１が筐体の外側にあるので、図１の発明の実施の形態よりも操作が容易になる。
【０１２８】
尚、図１乃至図６に示した発明の実施の形態では、摺動部を電気絶縁物で形成したが、基板の摺動部が接触する部分をおよびその付近にショートする可能性のある部品や配線が無ければ、摺動部を鉄、アルミ等の導体で形成してもよい。このことは、図７乃至図２８に示した発明の実施の形態のレンズマウント及びレンズマウント補助部材についても同様である。また、図１乃至図６に示した発明の実施の形態では、撮像レンズは価格と画質のバランスを考えてトリプレットタイプで構成したが、撮像レンズとしては、価格のみ考慮して単玉を用いたり、明るさと画質のバランスを考えて対称型のガウスタイプを用いる等、各種適用が可能である。このことは、図７乃至図２８に示した発明の実施の形態のレンズについても同様である。また、図７乃至図２８に示した発明の実施の形態は、図５のテレビインターホン装置及び図６の監視カメラ装置に適応可能である。さらに、図１乃至図２６に示した発明の実施の形態においては、レンズシフト方向が上下のものに適用したが、レンズシフト方向が左右のもの等レンズシフト方向について各種適用可能である。
【０１２９】
【発明の効果】
以上述べた様に請求項１乃至１０記載の発明によれば、簡単な構造と低価格の部品でベース基板に対する撮像方向を可変にすることができるので、取付け位置に大きな制約を発生させたり、撮像レンズを広角化して必要以上に広い範囲を撮像することなく装置の製造コストを低減できる。
【０１３０】
請求項２記載の発明によれば、調節ねじを回転させることにより摺動部をレンズシフト方向へ移動できるので、撮像方向の調整を容易に行える。
【０１３１】
請求項３記載の発明によれば、保持部を撮像レンズの光軸方向に移動させることにより、撮像レンズと撮像素子のセンサー部との間のフォーカス調整を行える。
【０１３２】
請求項５記載の発明によれば、力学的抵抗手段によりレンズマウント及びレンズマウント補助部材の位置を安定させることができ、撮像方向を安定にすることができる。
【０１３３】
請求項６及び７記載の発明によれば、位置固定用ねじにより前記レンズマウント補助部材の固定及び固定解除を行うことができ、撮像方向を安定にすることができる。
【０１３４】
請求項８記載の発明によれば、レバー部材を一方の側に回転移動させることによりレンズマウント及びレンズマウント補助部材に加わる力学的抵抗を増大させ撮像方向を安定にすることができ、撮像方向を安定にすることができ、レバー部材を他方の側に回転移動させることによりレンズマウント及びレンズマウント補助部材に加わる力学的抵抗を減少させ、撮像方向の調整を容易にすることができる。
【０１３５】
請求項９記載の発明によれば、請求項１乃至８のいずれか一記載のビデオカメラ装置をテレビインターホン装置に適用できる。
【０１３６】
請求項１０記載の発明によれば、請求項１乃至８のいずれか一記載のビデオカメラ装置を監視カメラ装置に適用できる。
【図面の簡単な説明】
【図１】本発明に係るビデオカメラ装置の発明の実施の形態を示す分解斜視図。
【図２】図１のビデオカメラ装置を組み立てた状態の斜視図。
【図３】図２のビデオカメラ装置の要部を示す断面図。
【図４】図３の摺動部をレンズシフト方向へ移動させた状態を示す断面図。
【図５】図１のビデオカメラ装置を適用したテレビインターホン装置を示す正面図。
【図６】図１のビデオカメラ装置を適用した監視カメラ装置を示す正面図。
【図７】本発明に係るビデオカメラ装置の第２の発明の実施の形態を示す分解斜視図。
【図８】図７の要部を示す断面図。
【図９】本発明に係るビデオカメラ装置の第３の発明の実施の形態をを示す側方から見た断面図。
【図１０】図９の発明の実施の形態の上方から見た断面図。
【図１１】図９の発明の実施の形態の正面から見た断面図。
【図１２】本発明に係るビデオカメラ装置の第４の発明の実施の形態を示すベース基板の正面図。
【図１３】本発明に係るビデオカメラ装置の第４の発明の実施の形態を示すレンズマウント補助部材の正面図。
【図１４】本発明に係るビデオカメラ装置の第５の発明の実施の形態を示す断面図。
【図１５】図１４のレンズスライドシートを示す斜視図。
【図１６】本発明に係るビデオカメラ装置の第６の発明の実施の形態を示す断面図。
【図１７】本発明に係るビデオカメラ装置の第７の発明の実施の形態を示す断面図。
【図１８】本発明に係るビデオカメラ装置の第８の発明の実施の形態を示す断面図。
【図１９】本発明に係るビデオカメラ装置の第９の発明の実施の形態を示す分解斜視図。
【図２０】本発明に係るビデオカメラ装置の第１０の発明の実施の形態を示す断面図。
【図２１】本発明に係るビデオカメラ装置の第１１の発明の実施の形態を示す断面図。
【図２２】本発明に係るビデオカメラ装置の第１２の発明の実施の形態を示す断面図。
【図２３】図２２の発明の実施の形態の動作を示す説明図。
【図２４】本発明に係るビデオカメラ装置の第１３の発明の実施の形態を示す断面図。
【図２５】図２４のレンズマウント補助部材の拡大図。
【図２６】図２４の発明の実施の形態の動作を示す説明図。
【図２７】本発明に係るビデオカメラ装置の第１４の発明の実施の形態を示す断面図。
【図２８】本発明に係るビデオカメラ装置の第１５の発明の実施の形態を示す断面図。
【符号の説明】
１１    ベース基板
１２    撮像素子
１３    センサー部
１４    摺動部
１５    撮像レンズ
【図１】
0003620176.tif 000002
【図２】
0003620176.tif 000003
【図３】
0003620176.tif 000004
【図４】
0003620176.tif 000005
【図５】
0003620176.tif 000006
【図６】
0003620176.tif 000007
【図７】
0003620176.tif 000008
【図８】
0003620176.tif 000009
【図９】
0003620176.tif 000010
【図１０】
0003620176.tif 000011
【図１１】
0003620176.tif 000012
【図１２】
0003620176.tif 000013
【図１３】
0003620176.tif 000014
【図１４】
0003620176.tif 000015
【図１５】
0003620176.tif 000016
【図１６】
0003620176.tif 000017
【図１７】
0003620176.tif 000018
【図１８】
0003620176.tif 000019
【図１９】
0003620176.tif 000020
【図２０】
0003620176.tif 000021
【図２１】
0003620176.tif 000022
【図２２】
0003620176.tif 000023
【図２３】
0003620176.tif 000024
【図２４】
0003620176.tif 000025
【図２５】
0003620176.tif 000026
【図２６】
0003620176.tif 000027
【図２７】
0003620176.tif 000028
【図２８】
0003620176.tif 000029